(57)【特許請求の範囲】
【請求項１】
水平の上面を四角形の枠状に形成する芝台と、前記上面上に設置する大台とを備えてなり、前記芝台には、前記上面より低い水平の支持面を前記上面の前面側に彫り込んで形成し、前記大台の前面には、納骨室の入口部分を開口するとともに、該入口部分の上部外側に沿って水切溝を形成し、該水切溝は、断面の中心線を斜め上向きに形成し、前記上面上の大台の前面は、前記支持面の後端より前方に位置することを特徴とする墓石。
【請求項２】
前記大台の前面には、前記水切溝の両端に連続する排水溝を形成することを特徴とする請求項１記載の墓石。
【請求項３】
前記水切溝、排水溝は、前記支持面上に設置して前記入口部分を閉じる花立を介して隠蔽可能であることを特徴とする請求項２記載の墓石。
【請求項４】
前記芝台には、前記上面の左右の側面側、後面側にそれぞれ斜め下向きの斜面を形成することを特徴とする請求項１ないし請求項３のいずれか記載の墓石。
【発明の詳細な説明】
【０００１】
【発明の属する技術分野】
この発明は、納骨室に雨水が浸入することがなく、納骨室を乾燥状態に保つことができる墓石に関する。
【０００２】
【従来の技術】
墓石には、骨壺等を収容する納骨室が土台部分に形成されている。
【０００３】
すなわち、従来の墓石は、芝台上に大台を設置して土台部分を形成し、芝台、大台の内部に納骨室が形成されている。なお、大台の前面には、納骨室の入口部分が開口しており、納骨室の入口部分には、蓋石が嵌め込まれ、納骨室は、蓋石を介して閉じられている。
【０００４】
【発明が解決しようとする課題】
かかる従来技術によるときは、納骨室は、その入口部分に蓋石が嵌め込まれているだけであるから、雨水が納骨室の入口部分と蓋石との隙間から納骨室内に浸入するおそれがあり、納骨室を良好な乾燥状態に保つことが難しいという問題があった。
【０００５】
そこで、この発明の目的は、かかる従来技術の問題に鑑み、大台に水切溝を形成することによって、納骨室に水が浸入することを有効に防止し、納骨室を乾燥状態に保つことができる墓石を提供することにある。
【０００６】
【課題を解決するための手段】
かかる目的を達成するためのこの発明の構成は、水平の上面を四角形の枠状に形成する芝台と、上面上に設置する大台とを備えてなり、芝台には、上面より低い水平の支持面を上面の前面側に彫り込んで形成し、大台の前面には、納骨室の入口部分を開口するとともに、入口部分の上部外側に沿って水切溝を形成し、水切溝は、断面の中心線を斜め上向きに形成し、上面上の大台の前面は、支持面の後端より前方に位置することをその要旨とする。
【０００７】
なお、大台の前面には、水切溝の両端に連続する排水溝を形成してもよく、水切溝、排水溝は、支持面上に設置して入口部分を閉じる花立を介して隠蔽可能にしてもよい。
【０００８】
また、芝台には、上面の左右の側面側、後面側にそれぞれ斜め下向きの斜面を形成することができる。
【０００９】
【作用】
かかる発明の構成によるときは、大台に形成する水切溝は、納骨室に水が浸入することを有効に防止する。なお、納骨室は、芝台、大台の内部に共通に形成されており、納骨室の入口部分は、大台の前面に開口している。
【００１０】
納骨室の入口部分の上部に沿って水切溝を形成するときは、水切溝は、大台の上面から前面に沿って流下する水を納骨室の入口部分の上部において左右の一方または双方にバイパスして排水することができる。ただし、水切溝は、大台の前面において納骨室の入口部分の上部外側に沿って形成する他、納骨室の入口部分の上部内面に沿って形成してもよい。
【００１１】
水切溝に連続する排水溝を形成すれば、排水溝は、水切溝からの水を大台の下方に確実に排水することができる。
【００１２】
水切溝は、排水溝とともに花立を介して隠蔽可能とすることにより、外部から見えず、墓石の全体体裁を損うことがない。ただし、ここでいう花立とは、花や、ろうそく、線香などを立て置くための部材であって、納骨室の入口部分の全体を塞ぎ、水切溝、排水溝を隠蔽することができるように、十分大きなブロック状に形成するものとする。
【００１３】
芝台に水平の支持面を形成すれば、芝台は、支持面上に花立を安定に支持することができる。また、支持面は、芝台の上面より低く形成することにより、大台に形成する納骨室の入口部分に水が流入することを有効に防止することができる。
【００１４】
【発明の実施の形態】
以下、図面を以って発明の実施の形態を説明する。
【００１５】
墓石は、芝台１１と、芝台１１上に設置する大台１２とを備えてなる（図１、図２）。なお、芝台１１、大台１２の内部には、納骨室Ｓが共通に形成されている。
【００１６】
芝台１１は、中央部に納骨室Ｓの下部部分Ｓa が上下に貫通して形成されており、下部部分Ｓa の周囲には、水平の上面１１ｂが四角形の枠状に形成されている。芝台１１は、上面１１ｂの左右の側面側、後面側にそれぞれ斜め下向きの斜面１１ｃが形成されており、上面１１ｂの前面側には、水平の支持面１１ｄと、支持面１１ｄの左右両側の斜面１１ｅ、１１ｅとが形成されている。なお、支持面１１ｄは、上面１１ｂの前部に切込み量ｄ1 だけ彫り込まれており（図１、図３）、上面１１ｂより高さｈ1 だけ低く形成されている。また、支持面１１ｄの左右は、それぞれ上向きの円弧面１１ｄ1 を介して斜面１１ｅに連続している（図１、図４）。芝台１１は、前面の左右両側に装飾用の切欠き１１ｆ、１１ｆが形成され、全周に亘って上部の稜線部分が丸く面取りされている。
【００１７】
大台１２は、芝台１１の上面１１ｂの外形に適合する角形のブロック体に形成されており（図１、図２）、納骨室Ｓの上部部分Ｓb が内部に形成されている。なお、大台１２の前面には、上部部分Ｓb に連通する納骨室Ｓの入口部分Ｓc が開口している。大台１２の上面１２ｂは、水平に形成され、上面１２ｂの前後左右には、斜め下向きの斜面１２ｃ、１２ｃ…が形成されている。大台１２の前面には、水切溝１２ｄが入口部分Ｓc の上部外側に沿って形成されている（図１、図４）。すなわち、水切溝１２ｄは、両端部が納骨室Ｓの入口部分Ｓc に倣って下向きに湾曲して形成され、水切溝１２ｄの両端は、それぞれ大台１２の前面に形成する垂直の排水溝１２ｅに連続している。なお、水切溝１２ｄ、各排水溝１２ｅは、それぞれ深さｄ2 ＜ｄ1 に形成されており（図３）、各排水溝１２ｅは、大台１２の下端にまで形成されている。また、水切溝１２ｄは、中心線Ｃが斜め上向きの略切欠き楕円形断面に形成されている。
【００１８】
大台１２は、芝台１１の上面１１ｂ上に設置することにより（図１、図２）、上部部分Ｓb を芝台１１の下部部分Ｓa に連通させ、納骨室Ｓを内部に形成することができる。このとき、大台１２の前面は、支持面１１ｄの後端より切込み量ｄ1 だけ前方に位置し（図３、図５）、排水溝１２ｅ、１２ｅは、支持面１１ｄ上に開口する。
【００１９】
芝台１１、大台１２は、中台１３、上台１４、布団台１５、連華台１６、竿石１７、花立１８と組み合わせる（図６）。なお、中台１３から竿石１７までの一連の部材は、この順に大台１２上に積み重ねて設置されており、花立１８は、芝台１１の支持面１１ｄ上に設置されている。このとき、花立１８は、大台１２の前面に密着させて納骨室Ｓの入口部分Ｓc を閉じるとともに、水切溝１２ｄ、排水溝１２ｅ、１２ｅを前方から隠蔽することができる。なお、納骨室Ｓを開くときは、支持面１１ｄ上から花立１８を除去すればよい。
【００２０】
水切溝１２ｄは、納骨室Ｓに対する水の浸入を防止する（図３、図５）。すなわち、水切溝１２ｄは、大台１２の前面と花立１８の後面との間を流下する水を収容し、両端の排水溝１２ｅ、１２ｅを介して支持面１１ｄ上に排水することができ、納骨室Ｓの入口部分Ｓc に水が流入することがない。また、支持面１１ｄは、大台１２の前面より切込み量ｄ1 だけ後方にまで形成され、芝台１１の上面１１ｂより高さｈ1 だけ低く形成されているから、排水溝１２ｅ、１２ｅからの水を芝台１１の前面側に確実に排水させることができ、排水溝１２ｅ、１２ｅからの水が納骨室Ｓに不用意に流入することがない。また、芝台１１は、斜面１１ｃ、１１ｃ…、１１ｅ、１１ｅを介し、大台１２に沿って流下する水を前後左右に効率よく受け流すことができる。
【００２１】
【他の実施の形態】
水切溝１２ｄは、任意の断面形状に形成してもよい（図７）。たとえば、水切溝１２ｄは、上下の開口幅を底部分から開口部分に向けて直線的に増大させてもよく（同図（Ａ））、上下の開口幅を底部分から開口部分にかけて一定にしてもよい（同図（Ｂ））。また、水切溝１２ｄは、断面の中心線Ｃを水平に形成してもよい（同図（Ｃ））。
【００２２】
水切溝１２ｄは、納骨室Ｓの入口部分Ｓc に倣うに代えて、左右を山形に下降させてもよく（図８（Ａ））、全体を片流れ式に傾けてもよい（同図（Ｂ））。また、水切溝１２ｄは、両端部を下向きに湾曲させ、排水溝１２ｅ、１２ｅに滑らかに連続させてもよい（同図（Ｃ））。
【００２３】
水切溝１２ｄは、納骨室Ｓの入口部分Ｓc の上部内面に沿って下向きに形成してもよい（図９）。なお、入口部分Ｓc の左右の内側面には、それぞれ水切溝１２ｄに連続する排水溝１２ｅが形成されている。また、芝台１１の支持面１１ｄは、上面１１ｂ上に設置する大台１２側の排水溝１２ｅ、１２ｅの後方にまで拡大されている。水切溝１２ｄは、大台１２の前面から納骨室Ｓの入口部分Ｓc に浸入する水を排水溝１２ｅ、１２ｅに排出して納骨室Ｓに水が浸入することを防止し、排水溝１２ｅ、１２ｅは、支持面１１ｄ上に排水することができる。
【００２４】
以上の説明において、水切溝１２ｄは、大台１２の前面、大台１２の納骨室Ｓの入口部分Ｓc の上部内面の一方または双方に形成してもよい。また、図６の中台１３から花立１８に至る各部材は、宗旨や、地方の事情、施主の希望等により、任意のデザイン、組合せに変更することができる。
【００２５】
【発明の効果】
以上説明したように、この発明によれば、芝台上に設置する大台に水切溝を形成することによって、水切溝は、納骨室に対して水が浸入することを防止するから、納骨室を常に乾燥状態に保ち、納骨室内に収納する物品を良好に保存することができるという優れた効果がある。
【図面の簡単な説明】
【図１】  全体構成分解斜視図
【図２】  図１のＸ−Ｘ線矢視相当拡大断面図
【図３】  図２の要部拡大説明図
【図４】  図１のＹ−Ｙ線矢視相当拡大断面図
【図５】  図３のＺ−Ｚ線矢視相当断面図
【図６】  使用状態説明図
【図７】  他の実施の形態を示す要部拡大断面説明図
【図８】  他の実施の形態を示す模式説明図
【図９】  他の実施の形態を示す図２相当図
【符号の説明】
Ｓ…納骨室
Ｓc …入口部分
１１…芝台
１１ｂ…上面
１１ｄ…支持面
１２…大台
１２ｄ…水切溝
１２ｅ…排水溝
１８…花立
【図１】
0004143789.tif 000002
【図２】
0004143789.tif 000003
【図３】
0004143789.tif 000004
【図４】
0004143789.tif 000005
【図５】
0004143789.tif 000006
【図６】
0004143789.tif 000007
【図７】
0004143789.tif 000008
【図８】
0004143789.tif 000009
【図９】
0004143789.tif 000010